(57)【要約】【課題】半導体素子を実装した配線基板を透過しての光の漏れを防止することのできる実装構造体、照明装置、および液晶装置を提供すること。【解決手段】照明装置８において、第３光学シート２３に対して第１光学シート２１および第２光学シート２２が位置する側とは反対側に、第３光学シート２３の端部と収容部材９とが接着された接着部材２８を備えている。また、接着部材２８には、第２光学シート２２において第３光学シート２３の端部から張り出した第２光学シート側張り出し部２２５と、第１光学シート２１において第２光学シート２２の端部および第３光学シート２３の端部から張り出した第１光学シート側張り出し部２１５とが接着されている。【選択図】図４
2011103221.tif 000002
【特許請求の範囲】
【請求項１】
光源と、
前記光源を収容する収容部材と、
前記光源から出射された照明光の進行方向に沿って順に積層された第１光学シート、第２光学シートおよび第３光学シートと、
前記第３光学シートに対して前記第１光学シートおよび前記第２光学シートが位置する側とは反対側で前記第３光学シートの端部と前記収容部材とを接着する接着部材と、
前記第２光学シートに形成され、前記第３光学シートの端部から張り出して前記接着部材に接着された第２光学シート側張り出し部と、
前記第１光学シートに形成され、前記第２光学シートの端部および前記第３光学シートの端部から張り出して前記接着部材に接着された第１光学シート側張り出し部と、
を備えていることを特徴とする照明装置。
【請求項２】
前記第２光学シートは、前記第３光学シートと重なる第２光学シート側本体部と、該第２光学シート側本体部から突出して前記第２光学シート側張り出し部を構成する第２光学シート側突出部と、を備え、
前記第１光学シートは、前記第３光学シートと重なる第１光学シート側本体部と、該第１光学シート側本体部から前記第２光学シート側張り出し部と重ならない位置で突出して前記第１光学シート側張り出し部を構成する第１光学シート側突出部と、を備えていることを特徴とする請求項１に記載の照明装置。
【請求項３】
前記第１光学シート側張り出し部は、前記第１光学シート側本体部の同一の辺部分に複数設けられ、
前記第２光学シート側張り出し部は、前記第２光学シート側本体部の同一の辺部分に複数設けられていることを特徴とする請求項２に記載の照明装置。
【請求項４】
前記第１光学シート側張り出し部は、前記第１光学シート側本体部において相対向する辺部分に設けられ、
前記第２光学シート側張り出し部分は、前記第２光学シート側本体部分において相対向する辺部分に設けられていることを特徴とする請求項２または３に記載の照明装置。
【請求項５】
前記接着部材において前記第３光学シートと重ならない領域に接着補助部材が接着されており、
前記第１光学シート側張り出し部は、前記接着補助部材を介して前記接着部材に接着されていることを特徴とする請求項１乃至４の何れか一項に記載の照明装置。
【請求項６】
前記第１光学シートに対して前記第２光学シートおよび前記第３光学シートが位置する側とは反対側には、前記光源から出射された前記照明光を内部に取り込んで前記第１光学シートが位置する側に向けて出射する導光板が設けられていることを特徴とする請求項１乃至５の何れか一項に記載の照明装置。
【請求項７】
請求項１乃至６の何れか一項に記載の照明装置を備えた電気光学装置であって、
前記照明装置から出射された照明光を変調して出射する電気光学パネルを有していることを特徴とする液晶装置。
【請求項８】
光源から出射された照明光の進行方向に沿って第１光学シート、第２光学シートおよび第３光学シートが収容部材内に順に積層された照明装置の製造方法であって、
前記第３光学シートに対して前記第１光学シートおよび前記第２光学シートが位置する側とは反対側に位置する接着部材に対して、前記第３光学シートの端部と、前記第２光学シートにおいて前記第３光学シートの端部から張り出した第２光学シート側張り出し部と、および前記第１光学シートにおいて前記第２光学シートの端部および前記第３光学シートの端部から張り出した第１光学シート側張り出し部とを接着する第１接着工程と、
前記接着部材に前記収容部材を接着する第２接着工程と、
を有していることを特徴とする照明装置の製造方法。
【発明の詳細な説明】
【技術分野】
【０００１】
本発明は、光源から出射された照明光の進行方向に沿って複数枚の光学シートが積層された照明装置、該照明装置を備えた電気光学装置、および当該照明装置の製造方法に関するものである。
【背景技術】
【０００２】
各種の電気光学装置のうち、透過型あるいは半透過反射型の液晶装置は、図１２（ａ）に示すように、液晶パネルからなる電気光学パネル１の裏面側に照明装置８を備えている。かかる照明装置８は、発光素子３から出射された照明光を内部に取り込んで出射する導光板６と、導光板６の裏面側に重ねて配置された反射シート２７と、導光板６から出射された照明光の進行方向に沿って積層された複数枚の光学シート（第１光学シート２１、第２光学シート２２および第３光学シート２３）とを備えている。また、発光素子３、導光板６、反射シート２７および複数枚の光学シートは共通の収容部材９に収容されている（例えば、特許文献１参照）。
【０００３】
このような構成の照明装置８を製造するには、従来、図１２（ｂ）に示すように、収容部材９に対して、反射シート２７、導光板６、第１光学シート２１、第２光学シート２２および第３光学シート２３を順次重ねていく方法が採用されている。
【０００４】
一方、特許文献１には、図１２（ａ）に示すような照明装置８において、複数枚の光学シートの１つの辺部分のみに対して、互いに一部が重なるように突出部を１つ設け、光学シートを重ねた後でも積層順序を視認可能にすることが提案されている。また、特許文献１には、具体的な構成は記載されていないが、両面テープ等を用いて光学シート同士を互いにあるいは収容部材に接着することが提案されている。
【先行技術文献】
【特許文献】
【０００５】
【特許文献１】特開２０００−１１７２８号公報
【発明の概要】
【発明が解決しようとする課題】
【０００６】
しかしながら、図１２（ｂ）に示す方法では、第１光学シート２１、第２光学シート２２および第３光学シート２３を配置した後、第１光学シート２１、第２光学シート２２および第３光学シート２３に位置ずれが発生するおそれがあるという問題点がある。かかる問題点に関して、特許文献１に記載されているように、両面テープ等を用いて突出部同士を互いに両面テープ等で接着する方法は、複数枚の光学シート（第１光学シート２１、第２光学シート２２および第３光学シート２３）全体が位置ずれすることを防止することはできない。また、光学シートを収容部材に両面テープ等で接着すると記載されているが、図１２（ａ）、（ｂ）に示すように、一番上の第３光学シート２３を接着部材２８で収容部材９に接着しても他の光学シート（第１光学シート２１および第２光学シート２２）が位置ずれすることを防止することはできない。
【０００７】
また、図１２（ｂ）に示す方法では、収容部材９において接着部材２８が接着される段部９９が第３光学シート２３の上面と同一の高さ位置にある場合や、第３光学シート２３に撓みが発生している場合、図１２（ｃ）に示すように、第３光学シート２３の端部が段部９９に乗り上げてしまうおそれがある。その結果、第３光学シート２３および段部９９に跨るように接着部材２８を接着することができず、光学シートの位置ずれを防止できなくなるという問題点がある。
【０００８】
ここに、本発明者は、図１３（ａ）、（ｂ）に示すように、第３光学シート２３の端部に接着部材２８を接着した後、第３光学シート２３の上に第２光学シート２２および第１光学シート２１を重ね、しかる後に、図１３（ｃ）に示すように、複数枚の光学シートをまとめて上下反転させて、導光板６の上に重ねることを提案するものである。しかしながら、かかる方法では、第３光学シート２３については収容部材９に確実に固定できるが、他の光学シート（第１光学シート２１および第２光学シート２２）が位置ずれすることを防止することはできないという問題点がある。なお、図１２および図１３に示す構成は、本発明に対する参考例であり、従来技術ではない。
【０００９】
以上の問題点に鑑みて、本発明では、複数の光学シートとして３枚以上の光学シートを収容部材内に重ねて配置する必要がある場合でも、いずれの光学シートについても位置ずれを確実に防止することのできる照明装置、該照明装置を備えた電気光学装置、および当該照明装置の製造方法を提供することにある。
【課題を解決するための手段】
【００１０】
上記課題を解決するために、本発明は、光源と、前記光源を収容する収容部材と、前記光源から出射された照明光の進行方向に沿って順に積層された第１光学シート、第２光学シートおよび第３光学シートと、前記第３光学シートに対して前記第１光学シートおよび前記第２光学シートが位置する側とは反対側で前記第３光学シートの端部と前記収容部材とを接着する接着部材と、前記第２光学シートに形成され、前記第３光学シートの端部から張り出して前記接着部材に接着された第２光学シート側張り出し部と、前記第１光学シートに形成され、前記第２光学シートの端部および前記第３光学シートの端部から張り出して前記接着部材に接着された第１光学シート側張り出し部と、を備えていることを特徴とする。
【００１１】
本発明では、第３光学シートの端部と収容部材とを接着する接着部材を備えており、かかる接着部材は、第２光学シートにおいて第３光学シートの端部から張り出した第２光学シート側張り出し部と、第１光学シートにおいて第２光学シートの端部および第３光学シートの端部から張り出した第１光学シート側張り出し部とも接着されている。このため、接着部材を介して第１光学シート、第２光学シート、および第３光学シートを収容部材に固定することができるので、第１光学シート、第２光学シート、および第３光学シートに撓み等が発生していても、第１光学シート、第２光学シート、および第３光学シートの位置ずれを防止することができる。
【００１２】
かかる構成の照明装置では、前記第３光学シートに対して前記第１光学シートおよび前記第２光学シートが位置する側とは反対側に位置する接着部材に対して、前記第３光学シートの端部と、前記第２光学シートにおいて前記第３光学シートの端部から張り出した第２光学シート側張り出し部と、および前記第１光学シートにおいて前記第２光学シートの端部および前記第３光学シートの端部から張り出した第１光学シート側張り出し部とを接着する第１接着工程と、前記接着部材と前記収容部材とを接着する第２接着工程と、を有している製造方法を採用することができる。かかる構成によれば、第１光学シート、第２光学シート、および第３光学シートに撓み等が発生していても、第１光学シート、第２光学シート、および第３光学シートが接着された接着部材を収容部材に強固に接着することができるとともに、第１光学シート、第２光学シート、および第３光学シートの位置ずれを防止することができる。
【００１３】
本発明において、前記第２光学シートは、前記第３光学シートと重なる第２光学シート側本体部と、該第２光学シート側本体部から突出して前記第２光学シート側張り出し部を構成する第２光学シート側突出部と、を備え、前記第１光学シートは、前記第３光学シートと重なる第１光学シート側本体部と、該第１光学シート側本体部から前記第２光学シート側張り出し部と重ならない位置で突出して前記第１光学シート側張り出し部を構成する第１光学シート側突出部と、を備えていることが好ましい。このように構成すると、第１光学シート側張り出し部と接着部材との間に第２光学シート側張り出し部が一切、介在しないので、第１光学シート側張り出し部と接着部材との間に第２光学シートの厚さおよび第３光学シートの厚さに相当する段差があっても、第１光学シート側張り出し部が接着部材に向けて容易に撓ませて、第１光学シート側張り出し部と接着部材とを接着することができる。
【００１４】
この場合、前記第１光学シート側張り出し部は、前記第１光学シート側本体部の同一の辺部分に複数設けられ、前記第２光学シート側張り出し部は、前記第２光学シート側本体部の同一の辺部分に複数設けられていることが好ましい。このように構成すると、接着部材に対して第１光学シートおよび第２光学シートを強固に接着することができる。
【００１５】
また、本発明において、前記第１光学シート側張り出し部は、前記第１光学シート側本体部において相対向する辺部分に設けられ、前記第２光学シート側張り出し部分は、前記第２光学シート側本体部分において相対向する辺部分に設けられていることが好ましい。このように構成すると、第１光学シートの両端、第２光学シートの両端、および第３光学シートの両端を接着部材を介して収容部材に固定することができるので、第１光学シート、第２光学シート、および第３光学シートを収容部材に対して強固に固定することができる。
【００１６】
本発明では、前記接着部材において前記第３光学シートと重ならない領域に接着補助部材が接着されており、前記第１光学シート側張り出し部は、前記接着補助部材を介して前記接着部材に接着されていることが好ましい。このように構成すると、第１光学シート側張り出し部と接着部材との間に第２光学シートの厚さおよび第３光学シートの厚さに相当する段差があっても、かかる段差は、接着補助部材によって緩和される。このため、第１光学シート側張り出し部と接着部材とを強固に接着することができる。
【００１７】
本発明においては、前記第１光学シートに対して前記第２光学シートおよび前記第３光学シートが位置する側とは反対側には、前記光源から出射された前記照明光を内部に取り込んで前記第１光学シートが位置する側に向けて出射する導光板が設けられている構成を採用することができる。
【００１８】
本発明を適用した照明装置は、液晶装置等の電気光学装置に用いることができ、この場合、前記照明装置から出射された光を変調して出射する電気光学パネルが設けられる。かかる構成の電気光学装置は、モバイルコンピューター、携帯電話、カーナビゲーション、パーソナルコンピューター等の電子機器に用いられる。
【図面の簡単な説明】
【００１９】
【図１】本発明の実施の形態１に係る電気光学装置の一部を切り欠いて示す斜視図である。
【図２】本発明の実施の形態１に係る電気光学装置の分解斜視図である。
【図３】本発明の実施の形態１に係る電気光学装置の照明装置に用いた各部材の説明図である。
【図４】本発明の実施の形態１に係る電気光学装置の照明装置の製造方法を示す説明図である。
【図５】本発明の実施の形態１に係る電気光学装置の照明装置を製造する際の第１接着工程の平面的な様子を示す説明図である。
【図６】図５に示す第１接着工程において接着部材に第３光学シートおよび第２光学シートを接着した様子を示す説明図である。
【図７】図５に示す第１接着工程において接着部材に第３光学シート、第２光学シートおよび第１光学シートを接着した様子を示す説明図である。
【図８】本発明の実施の形態２に係る電気光学装置の照明装置に用いた各部材の説明図である。
【図９】本発明の実施の形態３に係る電気光学装置の照明装置の説明図である。
【図１０】本発明の実施の形態４に係る電気光学装置の照明装置の説明図である。
【図１１】本発明を適用した電気光学装置を備えた電子機器の説明図である。
【図１２】本発明の参考例に係る電気光学装置の照明装置の説明図である。
【図１３】本発明の別の参考例に係る電気光学装置の照明装置の説明図である。
【発明を実施するための形態】
【００２０】
図面を参照して、本発明の実施の形態を説明する。なお、以下の説明で参照する図においては、各層や各部材を図面上で認識可能な程度の大きさとするため、各層や各部材毎に縮尺を異ならしめてある。また、以下の説明では、図１２および図１３を参照して説明した構成との対向が分りやすいように、対応する部材には同一の符号を付して説明する。
【００２１】
［実施の形態１］
（液晶装置の全体構成）
図１および図２は各々、本発明の実施の形態１に係る電気光学装置の一部を切り欠いて示す斜視図、および分解斜視図である。図１および図２に示すように、本形態の電気光学装置１００は、透過型あるいは半透過反射型の液晶装置であり、液晶パネルからなる電気光学パネル１と、この電気光学パネル１の背面側に配置された照明装置８（バックライト装置）とを有している。
【００２２】
電気光学パネル１は、素子基板１１と、この素子基板１１の第１面１１ａ（一方面）に対向配置された対向基板１２と、基板周縁部で素子基板１１と対向基板１２とを貼り合わせる矩形枠状のシール材１３とを備えており、素子基板１１、対向基板１２およびシール材１３により形成された空間内に液晶層１４が保持されている。素子基板１１は、対向基板１２の端部より突出する張り出し領域１８を備えている。本形態において、素子基板１１および対向基板１２はいずれも、基体がガラス等の透光性の絶縁基板である。
【００２３】
図示を省略するが、素子基板１１において対向基板１２に対向する第１面１１ａ上には島状のＩＴＯ（Indium Tin Oxide）膜やＩＺＯ（Indium Zinc Oxide）膜からなる画素電極、画素スイッチング素子、走査線やデータ線等の信号線等が形成され、画素電極を覆うようにポリイミド等からなる配向膜（図示せず）が形成されている。本形態において、電気光学パネル１は、インプレーンスイッチング（以下、ＩＰＳ(In Plane Switching)という）方式や、フリンジフィールドスイッチング（以下、ＦＦＳ（Fringe Field Switching）という）方式の液晶パネルであり、横電界により液晶層１４を駆動する。従って、素子基板１１にはＩＴＯ膜やＩＺＯ膜からなる共通電極（図示せず）も形成されている。このため、対向基板１２において素子基板１１と対向する第１面１２ａには、共通電極が形成されていない。ＩＰＳ方式の場合、画素電極と共通電極が横方向で対向する構成が採用され、ＦＦＳ方式の場合、画素電極および共通電極は誘電体膜を挟んで上下の異なる層に形成された構成が採用される。なお、対向基板１２の第１面１２ａにはカラーフィルター（図示せず）等が形成されることもある。また、電気光学パネル１は、ＴＮ（Twisted Nematic）方式、ＥＣＢ（Electrically Controlled Birefringence）方式、あるいはＶＡＮ（Vertical Aligned Nematic）方式の液晶パネルとして構成される場合があり、この場合、素子基板１１に画素電極が形成され、対向基板１２に共通電極が形成される。
【００２４】
かかる電気光学パネル１において、対向基板１２では、素子基板１１と対向する第１面１２ａとは反対側の第２面１２ｂに上偏光板４１が接着されている。素子基板１１では、対向基板１２と対向する第１面１１ａとは反対の第２面１１ｂの側に下偏光板４２が接着されている。このように構成した電気光学装置１００では、照明装置８から出射された光が素子基板１１の側から入射し、かかる入射光を光変調して対向基板１２の側から出射して画像を表示する。
【００２５】
素子基板１１の張り出し領域１８には、駆動用ＩＣ９８が異方性導電フィルム等により実装されており、張り出し領域１８の端部には、多層基板あるいは両面基板からなるフレキシブル配線基板７０が接続されている。このため、外部から供給される各種信号や電源電圧を、フレキシブル配線基板７０を介して電気光学パネル１に入力することができる。
【００２６】
フレキシブル配線基板７０では、その本体部分７９から、幅の狭い帯状部分７２と幅の広い外部接続部分７３とが延びており、帯状部分７２の先端部には、長さ方向を電気光学パネル１の幅方向に向けた光源実装部７１が形成されている。外部接続部分７３は、電気光学装置１００が搭載された機器本体側との接続が行なわれる。
【００２７】
（照明装置８の全体構成）
照明装置８は、平面矩形形状の収容部材９を備えており、かかる収容部材９は、例えば、樹脂成形品、あるいは金属フレームのインサート成形品などからなる。収容部材９は、底壁部９５と４つの側壁部９１〜９４とを備えており、側壁部９１〜９４の内側には段部９９が形成されている。また、４つの側壁部９１〜９４のうち、フレキシブル配線基板７０の引き出し側に位置する１つの側壁部９１には、フレキシブル配線基板７０を通す切り欠き９１５が形成されている。なお、収容部材９は底壁部９５を有さず、４つの側壁部９１〜９４からなる枠状の収容部材９を用いても良いことはもちろんである。
【００２８】
フレキシブル配線基板７０において、光源実装部７１の第１面７１ａ側には、照明装置８の光源としての複数の発光素子３が所定の間隔で実装されており、発光素子３には、フレキシブル配線基板７０を介して光源駆動用電圧が供給される。フレキシブル配線基板７０において、発光素子３が実装されている第１面７１ａ側には、表面実装型のキャパシタ等の電子部品３９も実装されている。発光素子３は表面実装型の白色ＬＥＤ（Light Emitting Diode／半導体素子）であり、光源実装部７１の第１面７１ａに沿う方向に発光中心部を向けている。このため、発光素子３は、フレキシブル配線基板７０の光源実装部７１の第１面７１ａに対して平行な方向に光軸Ｌを向けている。
【００２９】
照明装置８は、電気光学パネル１の素子基板１１に光放出面６ａを向ける略矩形の導光板６と、導光板６の側端部６ｅに沿うように配置された白色ＬＥＤからなる複数の発光素子３とを有している。導光板６の側端部６ｅには、その辺に沿って所定の間隔に切り欠き状の光源配置穴６１が形成されており、その内壁に相当する導光板６の側端面が、発光素子３から出射された光が入射する光入射部６１ａになっている。従って、フレキシブル配線基板７０において、光源実装部７１の発光素子３が実装されている第１面７１ａが下向きとなるように帯状部分７２を折り曲げて、導光板６の側端部６ｅに光源実装部７１を重ねると、複数の発光素子３は各々、発光中心部を光入射部６１ａに向けて光源配置穴６１に配置される。
【００３０】
照明装置８は、導光板６において光放出面６ａとは反対側の裏面６ｂに重ねて配置された反射シート２７を備えている。さらに、照明装置８は、導光板６の光放出面６ａの側に、光学シートとして、矩形状の散乱板からなる第１光学シート２１、矩形状のプリズムシートからなる第２光学シート２２、および矩形状のプリズムシートからなる第３光学シート２３を備えている。従って、第１光学シート２１、第２光学シート２２、および第３光学シート２３は、照明光（図１に矢印Ｌで示す）の進行方向に沿って順に積層されている。導光板６は、発光素子３から出射された光を電気光学パネル１の面内に均一に照射するためのものであり、アクリル樹脂やポリカーボネート等の透光性材料からなる。第１光学シート２１（散乱板）は、表示画面内の光の輝度をより均一化させるためのものである。第２光学シート２２および第３光学シート２３（プリズムシート）は、出射光の配向角を調整し、正面の輝度を向上させるためのものである。
【００３１】
（照明装置８の詳細構成）
図３は、本発明の実施の形態１に係る電気光学装置の照明装置８に用いた各部材の説明図であり、図３（ａ）、（ｂ）、（ｃ）、（ｄ）は各々、接着部材の平面図、第３光学シートの平面図、第２光学シートの平面図、第１光学シートの平面図である。なお、図３では、光源（発光素子３）が位置する側を下側として図示してある。
【００３２】
図１および図２に示すように、本形態では、フレキシブル配線基板７０の帯状部分７２を折り曲げた状態を保持するとともに、複数枚の光学シート（第１光学シート２１、第２光学シート２２および第３光学シート２３）を収容部材９に固定するにあたって、テープ状の接着部材２８が用いられている。接着部材２８は両面に粘着剤層（図示せず）が形成された両面テープであり、厚さは例えば３０μｍである。接着部材２８は、収容部材９の段部９９およびフレキシブル配線基板７０の光源実装部７１の第２面７１ｂに接着している。
【００３３】
図１、図２および図３（ａ）に示すように、接着部材２８は、収容部材９の段部９９に沿う矩形枠状であるとともに、遮光性を備えている。より具体的には、接着部材２８のフィルム基材は、導光板６が位置する側が白色あるいは銀色の反射面になっている一方、上面側は黒色の光吸収面になっている。このため、接着部材２８は、導光板６の外周端部から電気光学パネル１が位置する側に光が漏れを防止する機能を担っている。
【００３４】
ここで、接着部材２８は、段部９９より幅寸法が大であり、接着部材２８は、段部９９から収容部材９の内側に向けて張り出した張り出し部分を備えている。かかる接着部材２８の張り出し部分の表面側は電気光学パネル１の裏面に接着し、張り出し部分の裏面は、段部９９と第３光学シート２３の外周端部とに接着されている。このため、電気光学パネル１と収容部材９の段部９９とは接着部材２８によって直接接着されている。
【００３５】
このように構成した接着部材２８を用いて複数枚の光学シート（第１光学シート２１、第２光学シート２２および第３光学シート２３）を収容部材９に固定するにあたって、複数枚の光学シートは以下に説明する構成を備えている。
【００３６】
まず、図３（ｂ）に示すように、第３光学シート２３は四角形であり、その外形寸法は、図３（ａ）に示す接着部材２８の内周形状よりも大きく、外周形状よりも小さい。本形態において、第３光学シート２３は厚さが１４０μｍである。
【００３７】
図３（ｃ）に示すように、第２光学シート２２は、第３光学シート２３と重なる形状を有しているとともに、第３光学シート２３の端部から張り出す第２光学シート側張り出し部２２５を備えている。より具体的には、第２光学シート２２は、第３光学シート２３と重なる四角形の第２光学シート側本体部２２０と、第２光学シート側本体部２２０から突出して各々が第２光学シート側張り出し部２２５を構成する４つの矩形の第２光学シート側突出部２２１、２２２、２２３、２２４とを備えている。本形態において、第２光学シート側張り出し部２２５は、第２光学シート側本体部２２０の４つの辺部分２２０ａ、２２０ｂ、２２０ｃ、２２０ｄのうち、発光素子３が配置される側の辺部分２２０ａに形成された２つの第２光学シート側突出部２２１、２２２と、辺部分２２０ａに対して長手方向で対向する辺部分２２０ｃに形成された２つの第２光学シート側突出部２２３、２２４とからなる。本形態において、第２光学シート２２は厚さが６２μｍである。
【００３８】
図３（ｄ）に示すように、第１光学シート２１は、第２光学シート２２および第３光学シート２３と重なる形状を有しているとともに、第２光学シート２２および第３光学シート２３の端部から張り出す第１光学シート側張り出し部２１５を備えている。より具体的には、第１光学シート２１は、第３光学シート２３および第２光学シート側本体部２２０と重なる四角形の第１光学シート側本体部２１０と、第１光学シート側本体部２１０から突出して各々が第１光学シート側張り出し部２１５を構成する４つの第１光学シート側突出部２１１、２１２、２１３、２１４とを備えている。本形態において、第１光学シート側張り出し部２１５は、第１光学シート側本体部２１０の４つの辺部分２１０ａ、２１０ｂ、２１０ｃ、２１０ｄのうち、発光素子３が配置される側の辺部分２１０ａに形成された２つの第１光学シート側突出部２１１、２１２と、辺部分２１０ａに長手方向で対向する辺部分２１０ｃに形成された２つの第１光学シート側突出部２１３、２１４とからなる。本形態において、第１光学シート２１は厚さが４０μｍである。
【００３９】
ここで、第１光学シート２１と第２光学シート２２とは、互いの辺部分同士が重なり、角部分同士が重なるが、第１光学シート側突出部２１１、２１２と第２光学シート側突出部２２１、２２２とは辺部分の延在方向で突出位置が十分ずれており、第１光学シート側突出部２１３、２１４と第２光学シート側突出部２２３、２２４とは辺部分の延在方向で突出位置が十分ずれている。このため、第１光学シート２１と第２光学シート２２とを重ねた際、第１光学シート側張り出し部２１５と第２光学シート側張り出し部２２５と重なっていない。従って、本形態では、図４〜図７を参照して以下に説明する工程を行なえば、第３光学シート２３に対して第１光学シート２１および第２光学シート２２が位置する側とは反対側で第３光学シート２３の端部と収容部材９の段部９９とが接着された接着部材２８に対して、第２光学シート側張り出し部２２５および第１光学シート側張り出し部２１５が接着された構造とすることができる。
【００４０】
（照明装置８の製造方法）
図４は、本発明の実施の形態１に係る電気光学装置１００の照明装置８の製造方法を示す説明図であり、図４（ａ）、（ｂ）、（ｃ）は各々、第１接着工程における接着順序を示す工程断面図、第１接着工程において接着後の様子を示す工程断面図、および第２接着工程の工程断面図である。図５は、本発明の実施の形態１に係る電気光学装置１００の照明装置８を製造する際の第１接着工程の平面的な様子を示す説明図であり、図５（ａ）、（ｂ）、（ｃ）は、接着部材２８に第３光学シート２３を接着した様子を示す平面図、接着部材２８にさらに第２光学シート２２を接着した様子を示す平面図、および接着部材２８にさらに第１光学シート２１を接着した様子を示す平面図である。図６は、図５に示す第１接着工程において接着部材２８に第３光学シート２３および第２光学シート２２を接着した様子を示す説明図であり、図６（ａ）、（ｂ）は、その断面図、および第２光学シート側張り出し部２２５を拡大して示す平面図である。図７は、図５に示す第１接着工程において接着部材２８に第３光学シート２３、第２光学シート２２および第１光学シート２１を接着した様子を示す説明図であり、図７（ａ）、（ｂ）は、その断面図、および第１光学シート側張り出し部２１５を拡大して示す平面図である。なお、図６（ａ）は、図６（ｂ）のＢ１−Ｂ１′断面図に相当し、図７（ａ）は、図７（ｂ）のＡ１−Ａ１′断面図に相当する。
【００４１】
本形態では、照明装置８を製造するにあたっては、図４（ａ）、（ｂ）に示すように、第１接着工程において、第３光学シート２３の端部に接着部材２８を接着した後、第３光学シート２３の上に第２光学シート２２および第１光学シート２１を重ね、その際、第２光学シート側張り出し部２２５および第１光学シート側張り出し部２１５を接着部材２８に接着する。
【００４２】
より具体的には、図５（ａ）に示すように、第３光学シート２３の端部に接着部材２８を接着すると、接着部材２８は、第３光学シート２３の外周側で露出している。ここで、第３光学シート２３は、厚さが１４０μｍである。
【００４３】
次に、図４（ａ）、（ｂ）および図５（ｂ）に示すように、第３光学シート２３に第２光学シート２２を重ね、第２光学シート側張り出し部２２５を接着部材２８に押し付けると、図６（ａ）に示すように、第２光学シート側張り出し部２２５は、第２光学シート２２と接着部材２８との間に第３光学シート２３が介在するが、第２光学シート側張り出し部２２５は、接着部材２８の側に撓んで接着部材２８に接着される。ここで、第２光学シート２２は、厚さが６２μｍである。本形態では、一定以上の接着力を確保することを目的に、図６（ｂ）に示すように、第２光学シート側張り出し部２２５の突出寸法を０．６ｍｍ以上とし、かつ、第２光学シート側張り出し部２２５の長さが０．２ｍｍ以上の領域が接着部材２８と接着するようにしてある。すなわち、本形態では、第２光学シート側張り出し部２２５の長さを種々変えて、第２光学シート側張り出し部２２５を接着部材２８に押し付ける時間を種々変えて、接着力を評価したところ、第２光学シート側張り出し部２２５の突出寸法を０．６ｍｍ以上で、長さが０．２ｍｍ以上の領域が接着部材２８と接着するようにするには約０．１秒押し付ければ、十分な接着力が得られるという結果を得ている。
【００４４】
次に、図４（ａ）、（ｂ）および図５（ｃ）に示すように、第２光学シート２２に第１光学シート２１を重ね、第１光学シート側張り出し部２１５を接着部材２８に押し付けると、図７（ａ）に示すように、第１光学シート側張り出し部２１５は、第１光学シート２１と接着部材２８との間に第２光学シート２２および第３光学シート２３が介在するが、第１光学シート側張り出し部２１５は、接着部材２８の側に撓んで接着部材２８に接着される。ここで、第１光学シート２１は、厚さが４０μｍである。本形態では、一定以上の接着力を確保することを目的に、図７（ｂ）に示すように、第１光学シート側張り出し部２１５の突出寸法を０．６ｍｍ以上とし、かつ、第１光学シート側張り出し部２１５の長さが０．２ｍｍ以上の領域が接着部材２８と接着するようにしてある。すなわち、本形態では、第１光学シート側張り出し部２１５の長さを種々変えて、第１光学シート側張り出し部２１５を接着部材２８に押し付ける時間を種々変えて、接着力を評価したところ、第１光学シート側張り出し部２１５の突出寸法を０．６ｍｍ以上で、長さが０．２ｍｍ以上の領域が接着部材２８と接着するようにするには約８秒押し付ければ、十分な接着力が得られるという結果を得ている。なお、上述した第１接着工程では、接着部材２８に対して第３光学シート２３、第２光学シート２２、第１光学シート２１の順に重ねて形成する工程を説明したが、第１光学シート２１、第２光学シート２２、第３光学シート２３の順に重ね、最後に第１光学シート側張り出し部２１５、第２光学シート側張り出し部２２５および第３光学シート２３の端部に接着部材２８を接着するように形成しても良い。
【００４５】
一方、図４（ｃ）に示すように、収容部材９の内側に、反射シート２７、導光板６および発光素子３を配置しておき、第２接着工程では、接着部材２８に接着した複数枚の光学シート（第１光学シート２１、第２光学シート２２および第３光学シート２３）をまとめて上下反転させて、導光板６の上に重ねる。そして、接着部材２８を収容部材９の段部９９、およびフレキシブル配線基板７０の光源実装部７１の第２面７１ｂに接着させる。また、上記の第２接着工程に替えて、接着部材２８に接着した複数枚の光学シートに対して上下反転した収容部材９を重ねても良い。このようにして、照明装置８を製造する。
【００４６】
しかる後に、照明装置８に対して偏光板付きの電気光学パネル１を重ねると、接着部材２８は電気光学パネル１に接着し、電気光学装置１００が完成する。
【００４７】
（本形態の主な効果）
以上説明したように、本形態では、第３光学シート２３に対して第１光学シート２１および第２光学シート２２が位置する側とは反対側に、第３光学シート２３の端部と収容部材９とが接着された接着部材２８を備えている。また、接着部材２８には、第２光学シート２２において第３光学シート２３の端部から張り出した第２光学シート側張り出し部２２５と、第１光学シート２１において第２光学シート２２の端部および第３光学シート２３の端部から張り出した第１光学シート側張り出し部２１５とが接着されている。このため、接着部材２８を介して第１光学シート２１、第２光学シート２２および第３光学シート２３を収容部材９に固定することができる。従って、第１光学シート２１、第２光学シート２２、および第３光学シート２３に撓み等が発生していても、第１光学シート２１、第２光学シート２２、および第３光学シート２３の位置ずれを確実に防止することができる。
【００４８】
また、本形態では、照明装置８を製造するにあたって、第１接着工程において、第３光学シート２３の端部、第２光学シート２２の第２光学シート側張り出し部２２５、および第１光学シート２１の第１光学シート側張り出し部２１５を接着した後、第２接着工程において、接着部材２８と収容部材９とを接着する。このため、第１光学シート２１、第２光学シート２２、および第３光学シート２３が接着された接着部材２８を収容部材９に強固に固定することができるので、第１光学シート２１、第２光学シート２２、および第３光学シート２３の位置ずれを確実に防止することができる。
【００４９】
また、第１光学シート側張り出し部２１５（第１光学シート側突出部２１１〜２１４）は、第２光学シート側張り出し部２２５（第２光学シート側突出部２２１〜２２４）と重ならない位置で突出している。このため、第１光学シート側張り出し部２１５と接着部材２８との間に第２光学シート側張り出し部２２５が一切、介在しないので、第１光学シート側張り出し部２１５と接着部材２８との間に第２光学シート２２の厚さおよび第３光学シート２３の厚さに相当する段差があっても、第１光学シート側張り出し部２１５を接着部材２８に向けて容易に撓ませることができる。従って、第１光学シート側張り出し部２１５と接着部材２８とを確実に接着することができる。
【００５０】
また、第１光学シート側張り出し部２１５および第２光学シート側張り出し部２２５は、第１光学シート側本体部２１０および第２光学シート側本体部２２０の同一の辺部分に複数設けられているため、接着部材２８に対して第１光学シート２１および第２光学シート２２を強固接着することができる。しかも、第１光学シート側張り出し部２１５および第２光学シート側張り出し部２２５は、第１光学シート側本体部２１０および第２光学シート側本体部２２０において相対向する辺部分に設けられているため、第１光学シート２１の両端、第２光学シート２２の両端、および第３光学シート２３の両端を収容部材９に固定することができる。従って、第１光学シート２１、第２光学シート２２、および第３光学シート２３を収容部材９に強固に固定することができる。
【００５１】
しかも、接着部材２８は遮光性であるため、導光板６の外周端部から電気光学パネル１が位置する側に光が漏れるのを防止することができる。
【００５２】
［実施の形態２］
図８は、本発明の実施の形態２に係る電気光学装置の照明装置８に用いた各部材の説明図であり、図８（ａ）、（ｂ）、（ｃ）、（ｄ）は各々、接着部材の平面図、第３光学シートの平面図、第２光学シートの平面図、第１光学シートの平面図である。なお、本形態の基本的な構成は実施の形態１と同様であるため、共通する部分には同一の符号を付してそれらの説明を省略する。
【００５３】
上記実施の形態１では、第１光学シート側張り出し部２１５および第２光学シート側張り出し部２２５を構成するにあたって、第１光学シート側本体部２１０および第２光学シート側本体部２２０の辺部分に突出部を設けたが、本形態では、図８を参照して以下に説明するように、角部分を利用して第１光学シート側張り出し部２１５および第２光学シート側張り出し部２２５を構成する。
【００５４】
まず、図８（ａ）に示すように、接着部材２８は、収容部材９の段部９９に沿う矩形枠状であるとともに、遮光性を備えている。
【００５５】
図８（ｂ）に示すように、第３光学シート２３は略四角形であるが、４つの角部分２３６〜２３９はいずれも斜めに切り欠かれている。
【００５６】
図８（ｃ）に示すように、第２光学シート２２は、第３光学シート２３と重なる形状を有しているとともに、第３光学シート２３の端部から張り出す第２光学シート側張り出し部２２５を備えている。より具体的には、第２光学シート２２は、第３光学シート２３と重なる略四角形の第２光学シート側本体部２２０を備えており、第２光学シート側本体部２２０の４つの角部分２２６〜２２９のうち、対角に位置する２つの角部分２２６、２２８は斜めに切り欠かれている。その結果、残りの角部分２２７、２２９は、第３光学シート２３の端部から突出する三角形の突出部（第２光学シート側突出部）を構成しており、かかる三角形の突出部によって第２光学シート側張り出し部２２５が構成されている。
【００５７】
図８（ｄ）に示すように、第１光学シート２１は、第２光学シート２２および第３光学シート２３と重なる形状を有しているとともに、第２光学シート２２および第３光学シート２３の端部から張り出す第１光学シート側張り出し部２１５を備えている。より具体的には、第１光学シート２１は、第３光学シート２３および第２光学シート側本体部２２０と重なる四角形の第１光学シート側本体部２１０を備えており、かかる第１光学シート側本体部２１０の４つの角部分２１６〜２１９はいずれも切り欠かれていない。その結果、対角に位置する２つの角部分２１６、２１８は、第２光学シート２２および第３光学シート２３の端部から突出する三角形の突出部を構成しており、かかる三角形の突出部によって第１光学シート側張り出し部２１５が構成されている。
【００５８】
その他の構成は、実施の形態１と略同様である。従って、本形態でも、図４を参照して説明したように照明装置８を製造すると、第３光学シート２３に対して第１光学シート２１および第２光学シート２２が位置する側とは反対側に、第３光学シート２３の端部と収容部材９とが接着された接着部材２８を備えている構成となる。また、接着部材２８には、第２光学シート２２において第３光学シート２３の端部から張り出した第２光学シート側張り出し部２２５と、第１光学シート２１において第２光学シート２２の端部および第３光学シート２３の端部から張り出した第１光学シート側張り出し部２１５とが接着されている構成となる。このため、第１光学シート２１、第２光学シート２２、および第３光学シート２３に撓み等が発生していても、第１光学シート２１、第２光学シート２２、および第３光学シート２３の位置ずれを防止することができる等、実施の形態１と略同様な効果を奏する。
【００５９】
［実施の形態３］
図９は、本発明の実施の形態３に係る電気光学装置１００の照明装置８の説明図であり、図９（ａ）、（ｂ）、（ｃ）は各々、第１光学シート２１と接着部材２８との接着構造を示す断面図、第２光学シート２２と接着部材２８との接着構造を示す断面図、および光学シートと接着部材２８との接着部分の平面図である。なお、図９（ａ）は、図９（ｃ）のＡ２−Ａ２′断面図に相当し、図９（ｂ）は、図９（ｃ）のＢ２−Ｂ２′断面図に相当する。また、本形態の基本的な構成は実施の形態１と同様であるため、共通する部分には同一の符号を付してそれらの説明を省略する。
【００６０】
実施の形態１では、図６および図７を参照して説明したように、第１光学シート側張り出し部２１５および第２光学シート側張り出し部２２５を直接、接着部材２８に接着したが、本形態では、図９を参照して以下に説明するように、接着補助部材２９を用い、第１光学シート側張り出し部２１５および第２光学シート側張り出し部２２５を接着補助部材２９を介して接着部材２８に接着してある。
【００６１】
すなわち、図９に示すように、接着部材２８において第３光学シート２３と重ならない領域には矩形の接着補助部材２９が接着されており、かかる接着補助部材２９は、第１光学シート側張り出し部２１５および第２光学シート側張り出し部２２５に重なる位置に設けられている。かかる接着補助部材２９としては両面テープあるいは片面テープのいずれを用いてもよいが、いずれの場合も、接着部材２８が位置する側とは反対側の面に粘着剤層を備えている。
【００６２】
その他の構成は、実施の形態１と略同様である。従って、本形態でも、図４を参照して説明したように照明装置８を製造すると、第２光学シート側張り出し部２２５は接着補助部材２９を介して接着部材２８に接着される。また、第１光学シート側張り出し部２１５は接着補助部材２９を介して接着部材２８に接着される。このように構成した場合も、第３光学シート２３に対して第１光学シート２１および第２光学シート２２が位置する側とは反対側に、第３光学シート２３の端部と収容部材９とが接着された接着部材２８を備えている構成となる。また、接着部材２８には、第２光学シート２２において第３光学シート２３の端部から張り出した第２光学シート側張り出し部２２５と、第１光学シート２１において第２光学シート２２の端部および第３光学シート２３の端部から張り出した第１光学シート側張り出し部２１５とが接着補助部材２９を介して接着されている構成となる。このため、第１光学シート２１、第２光学シート２２、および第３光学シート２３に撓み等が発生していても、第１光学シート２１、第２光学シート２２、および第３光学シート２３の位置ずれを防止することができる等、実施の形態１と略同様な効果を奏する。
【００６３】
また、本形態では、第１光学シート側張り出し部２１５と接着部材２８との間に第２光学シート２２の厚さおよび第３光学シート２３の厚さに相当する段差があっても、かかる段差は、接着補助部材２９によって緩和される。このため、第１光学シート側張り出し部２１５と接着部材２８とを強固に接着することができる。また、第２光学シート側張り出し部２２５と接着部材２８との間に第３光学シート２３の厚さに相当する段差があっても、かかる段差は、接着補助部材２９によって緩和される。このため、第２光学シート側張り出し部２２５と接着部材２８とを強固に接着することができる。
【００６４】
なお、本形態では、第１光学シート側張り出し部２１５および第２光学シート側張り出し部２２５双方を接着補助部材２９を介して接着部材２８に接着したが、第２光学シート側張り出し部２２５については直接、接着部材２８に接着してもよい。かかる構成の場合も、第１光学シート側張り出し部２１５は接着補助部材２９を介して接着部材２８に接着される。従って、第１光学シート側張り出し部２１５と接着部材２８との間に第２光学シート２２の厚さおよび第３光学シート２３の厚さに相当する段差があっても、かかる段差は、接着補助部材２９によって緩和される。このため、第１光学シート側張り出し部２１５と接着部材２８とを強固に接着することができる。
【００６５】
［実施の形態４］
図１０は、本発明の実施の形態４に係る電気光学装置１００の照明装置８の説明図であり、図１０（ａ）、（ｂ）は各々、光学シート（第１光学シート２１および第２光学シート２２）と接着部材２８との接着構造を示す断面図、および光学シートと接着部材２８との接着部分の平面図である。なお、図１０（ａ）は、図１０（ｂ）のＡ３−Ａ３′断面図に相当する。また、本形態の基本的な構成は実施の形態１と同様であるため、共通する部分には同一の符号を付してそれらの説明を省略する。
【００６６】
実施の形態１、２では、第１光学シート側張り出し部２１５および第２光学シート側張り出し部２２５を部分的な突出部として構成したが、本形態では、図１０を参照して以下に説明するように、第１光学シート２１および第２光学シート２２の辺部分全体を第１光学シート側張り出し部２１５および第２光学シート側張り出し部２２５として利用する。
【００６７】
すなわち、本形態では、第２光学シート２２については、第３光学シート２３より長さ寸法を大として第２光学シート側張り出し部２２５を構成してある。また、第１光学シート２１については、さらに、第２光学シート２２より長さ寸法を大として第１光学シート側張り出し部２１５を構成してある。
【００６８】
その他の構成は、実施の形態１と略同様である。従って、本形態でも、図４を参照して説明したように照明装置８を製造すると、第３光学シート２３に対して第１光学シート２１および第２光学シート２２が位置する側とは反対側に、第３光学シート２３の端部と収容部材９とが接着された接着部材２８を備えている構成となる。また、接着部材２８には、第２光学シート２２において第３光学シート２３の端部から張り出した第２光学シート側張り出し部２２５と、第１光学シート２１において第２光学シート２２の端部および第３光学シート２３の端部から張り出した第１光学シート側張り出し部２１５とが接着されている構成となる。このため、第１光学シート２１、第２光学シート２２、および第３光学シート２３に撓み等が発生していても、第１光学シート２１、第２光学シート２２、および第３光学シート２３の位置ずれを防止することができる等、実施の形態１と略同様な効果を奏する。
【００６９】
なお、本形態でも、実施の形態３と同様、接着部材２８において第３光学シート２３と重ならない領域に矩形の接着補助部材２９が接着されており、かかる接着補助部材２９は、第１光学シート側張り出し部２１５および第２光学シート側張り出し部２２５に重なる位置に設けられている構成を採用してもよい。かかる構成によれば、第１光学シート側張り出し部２１５および第２光学シート側張り出し部２２５双方を接着補助部材２９を介して接着部材２８に接着することができる。従って、第１光学シート側張り出し部２１５と接着部材２８との間に第２光学シート２２の厚さおよび第３光学シート２３の厚さに相当する段差があっても、かかる段差は、接着補助部材２９によって緩和される等、実施の形態３と同様な効果を奏する。
【００７０】
［他の実施の形態］
なお、上記実施の形態１、２等では、第１光学シート側張り出し部２１５および第２光学シート側張り出し部２２５を各々、複数設けたが、第１光学シート側張り出し部２１５および第２光学シート側張り出し部２２５を各々、１つずつ設けてもよい。上記実施の形態では、計３枚の光学シートを用いた例であったが、４枚以上の光学シートを用いた照明装置に本発明を適用してもよい。
【００７１】
［電子機器への搭載例］
次に、上述した実施形態に係る電気光学装置１００を備えた電子機器について説明する。図１１（ａ）に、電気光学装置１００を備えたモバイル型のパーソナルコンピューターの構成を示す。パーソナルコンピューター２０００は、表示ユニットとしての電気光学装置１００と本体部２０１０を備える。本体部２０１０には、電源スイッチ２００１およびキーボード２００２が設けられている。図１１（ｂ）に、電気光学装置１００を備えた携帯電話機の構成を示す。携帯電話機３０００は、複数の操作ボタン３００１、スクロールボタン３００２、および表示ユニットとしての電気光学装置１００を備える。スクロールボタン３００２を操作することによって、電気光学装置１００に表示される画面がスクロールされる。図１１（ｃ）に、電気光学装置１００を適用した情報携帯端末（ＰＤＡ：Personal Digital Assistants）の構成を示す。情報携帯端末４０００は、複数の操作ボタン４００１、電源スイッチ４００２、および表示ユニットとしての電気光学装置１００を備える。電源スイッチ４００２を操作すると、住所録やスケジュール帳といった各種の情報が電気光学装置１００に表示される。
【００７２】
なお、電気光学装置１００が適用される電子機器としては、図１１に示すものの他、デジタルスチールカメラ、液晶テレビ、ビューファインダー型、モニター直視型のビデオテープレコーダー、カーナビゲーション装置、ページャー、電子手帳、電卓、ワードプロセッサー、ワークステーション、テレビ電話、ＰＯＳ端末、銀行端末等の電子機器等が挙げられる。そして、これらの各種電子機器の表示部として、前述した電気光学装置１００が適用可能である。
【符号の説明】
【００７３】
１・・電気光学パネル、３・・発光素子（光源）、６・・導光板、８・・照明装置、９・・収容部材、２１・・第１光学シート、２２・・第２光学シート、２３・・第３光学シート、２８・・接着部材、２９・・接着補助部材、１００・・電気光学装置、２１５・・第１光学シート側張り出し部、２２５・・第２光学シート側張り出し部
【図１】
2011103221.tif 000003
【図２】
2011103221.tif 000004
【図３】
2011103221.tif 000005
【図５】
2011103221.tif 000006
【図６】
2011103221.tif 000007
【図７】
2011103221.tif 000008
【図８】
2011103221.tif 000009
【図９】
2011103221.tif 000010
【図１０】
2011103221.tif 000011
【図１１】
2011103221.tif 000012
【図１２】
2011103221.tif 000013
【図４】
2011103221.tif 000014
【図１３】
2011103221.tif 000015